(57)【要約】【課題】ハリス１６の損傷を生じることなく餌１２の脱落を防止でき、しかも魚の食い付きをよくすることのできる、ハリス付き釣鈎１０を提供する。【解決手段】「通し刺し」や「縫い刺し」によって餌１２を糸抜け防止部１４ｅよりも後方へ持っていくと、線状係止部２０が餌１２の体内へ挿入される。そして、餌１２が釣鈎本体１４の針先部１４ａ側へ移動しようとすると、線状係止部２０の先端が餌１２の体内に引っ掛かり、餌１２の脱落が防止される。線状係止部２０は弾性を有するので、ハリス１６が線状係止部２０に接触したとしてもハリス１６が損傷される心配はない。【選択図】        図２
2004337041.tif 000002
【特許請求の範囲】
【請求項１】
針先部，懐部，軸部，結束部および糸抜け防止部が先端から後端に亘ってこの順に形成された釣鈎本体と、前記釣鈎本体における前記結束部に結束されたハリスとを備えるハリス付き釣鈎において、
弾性を有し、前記糸抜け防止部から後方へ突出して設けられた線状係止部をさらに備えることを特徴とする、ハリス付き釣鈎。
【請求項２】
前記線状係止部は、前記結束部に結束された前記ハリスの一部である、請求項１に記載のハリス付き釣鈎。
【請求項３】
前記線状係止部は、前記ハリスによって前記結束部に取り付けられた線状部材である、請求項１に記載のハリス付き釣鈎。
【発明の詳細な説明】
【０００１】
【発明の属する技術分野】
この発明は、釣鈎本体に取り付けられた餌の脱落を防止することのできる、ハリス付き釣鈎に関する。
【０００２】
【従来の技術】
従来のハリス付き釣鈎１は、図１３に示すように、針先部２ａ，懐部２ｂ，軸部２ｃ，結束部２ｄおよび糸抜け防止部２ｅが先端から後端に亘ってこの順に形成された釣鈎本体２と、釣鈎本体２の結束部２ｄに結束されたハリス３とを有している。そして、ハリス付き釣鈎１に餌４を取り付ける際には、「通し刺し」や「縫い刺し」といった方法が一般に用いられている。
【０００３】
しかし、従来のハリス付き釣鈎１では、針先部２ａにおいて餌４が係止されるに過ぎないため、釣鈎本体２から餌４が脱落し易いという問題があった。
【０００４】
このような問題を解決するための一手段として、特開平１０−２０１３９８号（特許文献１）には、ハリスが係止される叩き部の上端部に針状の餌刺し部を設け、餌刺し部を餌に突き刺すことによって餌の脱落を防止するようにした技術が開示されている。
【０００５】
【特許文献１】
特開平１０−２０１３９８号
【０００６】
【発明が解決しようとする課題】
上述の従来技術（特許文献１）では、餌刺し部が釣鈎本体と同じ金属材料によって釣鈎本体と一体に形成されていたので、釣鈎本体に結束されたハリスが餌刺し部に接触して損傷されるおそれがあった。
【０００７】
また、餌刺し部は釣鈎本体と一体に形成されていたので、「通し刺し」や「縫い刺し」において餌を叩き部よりも後方（餌刺し部側）へ持っていくと、餌に通された餌刺し部とハリスとによって餌が引き裂かれてしまうおそれがあった。
【０００８】
さらに、釣鈎本体に餌を取り付けた際には、金属からなる叩き部等が餌の外部へ露出するため、魚の食い付きが悪いという問題もあった。
【０００９】
それゆえに、この発明の主たる目的は、ハリスの損傷を生じることなく餌の脱落を防止でき、しかも魚の食い付きをよくすることのできる、ハリス付き釣鈎を提供することである。
【００１０】
【課題を解決するための手段】
請求項１に記載した発明は、「針先部１４ａ，懐部１４ｂ，軸部１４ｃ，結束部１４ｄおよび糸抜け防止部１４ｅが先端から後端に亘ってこの順に形成された釣鈎本体１４と、釣鈎本体１４における結束部１４ｄに結束されたハリス１６とを備えるハリス付き釣鈎１０において、弾性を有し、糸抜け防止部１４ｅから後方へ突出して設けられた線状係止部２０，２２をさらに備えることを特徴とする、ハリス付き釣鈎１０」である。
【００１１】
この発明において、「通し刺し」や「縫い刺し」によって釣鈎本体１４を餌１２に突き刺し、この餌１２を糸抜け防止部１４ｅよりも後方へ持っていくと、線状係止部２０，２２が餌１２の体内へ挿入される。そして、餌１２が釣鈎本体１４の針先部１４ａ側へ移動しようとすると、線状係止部２０，２２の先端が餌１２の体内に引っ掛かり、餌１２の脱落が防止される。また、ハリス１６によって餌１２が引っ張られた場合には、餌１２の体内に挿入された線状係止部２０，２２もその方向へ動くので、餌１２が引き裂かれる心配はない。さらに、線状係止部２０，２２は弾性を有するので、ハリス１６が線状係止部２０，２２に接触したとしてもハリス１６が損傷される心配はない。
【００１２】
請求項２に記載した発明は、請求項１に記載した発明において、「線状係止部２０，２２は、結束部１４ｄに結束されたハリス１６の一部である」ことを特徴とする。
【００１３】
この発明では、ハリス１６の一部を線状係止部２０として用いているので、釣鈎本体１４に対するハリス１６の結束方法を工夫するだけで線状係止部２０を簡単に得ることができる。
【００１４】
請求項３に記載した発明は、請求項１に記載した発明において、「線状係止部２２は、ハリス１６によって結束部１４ｄに取り付けられた線状部材である」ことを特徴とする。
【００１５】
この発明では、線状係止部２２をハリス１６とは別の部材で形成することができるので、ハリス１６の種類や太さに拘わらず、餌１２に対する係止効果の高い、太めで張りのある線状係止部２２を用いることができる。
【００１６】
【発明の実施の形態】
図１に示す本発明が適用されたハリス付き釣鈎１０は、図２に示すような「通し刺し」や、図３に示すような「縫い刺し」等によって取り付けられた餌１２が脱落するのを防止する機能を有するものであり、釣鈎本体１４とハリス１６とによって構成されている。
【００１７】
釣鈎本体１４は、鋼等の金属からなる線材を鉤形に湾曲させたものであり、釣鈎本体１４には、針先部１４ａ，懐部１４ｂ，軸部１４ｃ，結束部１４ｄおよび糸抜け防止部１４ｅが先端から後端に亘ってこの順に形成されている。
【００１８】
そして、釣鈎本体１４における結束部１４ｄには、ナイロン，フロロカーボンまたはポリエステル等からなるハリス１６の一端が結束されており、結束部１４ｄにおける結び目１８の後端には、糸抜け防止部１４ｅから後方へ突出する線状係止部２０が構成されている。
【００１９】
ハリス１６を結束部１４ｄに結束する際には、まず、図４に示すように、ハリス１６の端部に環状部１６ａを構成し、この環状部１６ａを軸部１４ｃに沿わせて配置する。続いて、図５に示すように、環状部１６ａを取り囲むようにして環状部１６ｂを構成する。そして、図６に示すように、軸部１４ｃ，環状部１６ａおよび環状部１６ｂの一部を引き揃えながら、これらにハリス１６を巻き付ける。その後、図７に示すように、結び目１８の後端から突出したハリス１６を引っ張ることによって環状部１６ａを収縮させ、ハリス１６の端部を所定長さに切断する。
【００２０】
ハリス付き釣鈎１０に餌１２を取り付ける際には、「通し刺し（図２）」または「縫い刺し（図３）」等によって釣鈎本体１４を餌１２に突き刺し、餌１２の端部を糸抜け防止部１４ｅの後方へ持っていく。すると、図２または図３に示すように、線状係止部２０が餌１２の体内に挿入されて抜け止め機能が発揮される。
【００２１】
つまり、図２に示すように、線状係止部２０が餌１２の体内に挿入されている場合には、線状係止部２０の端部が餌１２の体内に引っ掛かるので、餌１２の脱落は生じない。一方、図３に示すように、線状係止部２０が餌１２の体を貫通している場合には、線状係止部２０の貫通部が餌１２の体内に引っ掛かるので、餌１２の脱落は生じない。
【００２２】
ハリス付き釣鈎１０を用いて実際に魚を釣る際には、水中において餌１２が動き、それに従ってハリス１６も動くが、ハリス１６の一部で構成された線状係止部２０は弾性を有するので、線状係止部２０とハリス１６との挙動は一致することになる。したがって、線状係止部２０とハリス１６とによって餌１２が引き裂かれる心配はない。
【００２３】
また、「通し刺し」や「縫い刺し」を採用できることから、釣鈎本体１４や線状係止部２０を餌１２の体内に隠すことができ、魚の食い付きが悪くなるのを防止できる。そして、線状係止部２０はハリス１６の一部であり、魚の目に付き難いため、これが露出されたとしても食い付きが悪くなることはない。
【００２４】
さらに、ハリス１６が線状係止部２０に接触したとしても、ハリス１６が損傷される心配はない。
【００２５】
なお、上述の実施例では、ハリス１６の一部を線状係止部２０として用いるようにしているが、たとえば図８に示すように、ハリス１６とは別部材である線状係止部２２を準備し、これをハリス１６によって結束部１４ｄに取り付けるようにしてもよい。線状係止部２２の材料としては、ナイロン，フロロカーボンまたはポリエステル等のようなハリス１６と同じ材料を用いることが望ましいが、弾性を有する限りにおいて、これらに限定されるものではない。
【００２６】
ハリス１６によって線状係止部２２を結束部１４ｄに取り付ける際には、まず、図９に示すように、線状係止部２２およびハリス１６の端部を軸部１４ｃに沿わせて配置し、ハリス１６の折り返した部分をこれらに巻き付ける。そして、図１０に示すように、折り返した部分に構成された環状部１６ｃにハリス１６の先端を挿通する。その後、図１１に示すように、ハリス１６の端部を引っ張ることによって結び目２４を収縮させ、ハリス１６の端部および線状係止部２２を所定位置で切断する。ただし、ここで示した結束方法は一例に過ぎず、他のあらゆる結束方法を適用できることは言うまでもない。
【００２７】
この実施例によれば、ハリス１６の種類や太さに拘わらず、餌１２に対する係止効果の高い、太めで張りのある線状係止部２２を用いることができるので、餌１２の脱落防止効果を安定して得ることができる。
【００２８】
また、釣鈎本体１４としては、図１２に示すようなケン２６が形成されたものを用いてもよい。この場合には、線状係止部２０（または２２）と共に、ケン２６が餌１２に係止されるので、餌１２の脱落防止効果をより高めることができる。
【００２９】
さらに、複数の釣鈎を有する仕掛けについても、本発明のハリス付き釣鈎１０を適用できることは言うまでもない。
【００３０】
【発明の効果】
請求項１〜３に記載した発明によれば、「通し刺し」や「縫い刺し」によって釣鈎本体に餌を取り付けた際に、線状係止部を餌に係止させることができるので、釣鈎本体から餌が脱落するのを防止できる。
【００３１】
また、線状係止部は弾性を有するので、ハリスによって餌が引っ張られたときには、線状係止部もその方向へ屈曲することとなり、ハリスと線状係止部とによって餌が引き裂かれる心配はない。したがって、「通し刺し」や「縫い刺し」によって釣鈎本体１４に餌１２を取り付けた場合でも、線状係止部の機能を発揮させることができる。
【００３２】
さらに、「通し刺し」や「縫い刺し」を採用できることから、釣鈎本体や線状係止部を餌の体内に隠すことができ、魚の食い付きが悪くなるのを防止できる。
【００３３】
請求項２に記載した発明によれば、ハリスの一部を線状係止部として用いているので、釣鈎本体に対するハリスの結束方法を工夫するだけで線状係止部を簡単かつ安価に得ることができる。また、ハリスが線状係止部に接触したとしても、ハリスが損傷される心配はない。さらに、線状係止部はハリスの一部であり、魚の目に付き難いため、これが露出されたとしても食い付きが悪くなることはない。
【００３４】
請求項３に記載した発明によれば、線状係止部をハリスとは別の部材で形成することができるので、ハリスの種類や太さに拘わらず、餌に対する係止効果の高い、太めで張りのある線状係止部を用いることができる。
【図面の簡単な説明】
【図１】本発明の一実施例のハリス付き釣鈎を示す図である。
【図２】ハリス付き釣鈎の使用方法（通し刺し）を示す図である。
【図３】ハリス付き釣鈎の使用方法（縫い刺し）を示す図である。
【図４】釣鈎本体にハリスを結束する方法（一つ目の環状部の形成工程）を示す図である。
【図５】釣鈎本体にハリスを結束する方法（二つ目の環状部の形成工程）を示す図である。
【図６】釣鈎本体にハリスを結束する方法（ハリスの巻き付け工程）を示す図である。
【図７】釣鈎本体にハリスを結束する方法（ハリスの切断工程）を示す図である。
【図８】他の実施例のハリス付き釣鈎を示す図である。
【図９】釣鈎本体にハリスを結束する方法（ハリスの巻き付け工程）を示す図である。
【図１０】釣鈎本体にハリスを結束する方法（環状部への挿通工程）を示す図である。
【図１１】釣鈎本体にハリスを結束する方法（ハリスの切断工程）を示す図である。
【図１２】ケン付きの釣鈎本体を用いた実施例を示す図である。
【図１３】従来技術を示す図である。
【符号の説明】
１０…  ハリス付き釣鈎
１２…  餌
１４…  釣鈎本体
１４ａ…  針先部
１４ｂ…  懐部
１４ｃ…  軸部
１４ｄ…  結束部
１４ｅ…  糸抜け防止部
１６…  ハリス
１６ａ，１６ｂ，１６ｃ…  環状部
１８…  結び目
２０，２２…  線状係止部
２４…  結び目
２６…  ケン
【図１】
2004337041.tif 000003
【図２】
2004337041.tif 000004
【図３】
2004337041.tif 000005
【図４】
2004337041.tif 000006
【図５】
2004337041.tif 000007
【図６】
2004337041.tif 000008
【図７】
2004337041.tif 000009
【図８】
2004337041.tif 000010
【図９】
2004337041.tif 000011
【図１０】
2004337041.tif 000012
【図１１】
2004337041.tif 000013
【図１２】
2004337041.tif 000014
【図１３】
2004337041.tif 000015